(57)【要約】【課題】ユーザの環境に合ったオプション言語を現地で導入出来るシステムの提供。【解決手段】サーバは、グループに所属する画像形成装置が導入すべきオプション言語の実データである言語データと、グループに所属する画像形成装置が導入すべきオプション言語のリストであるグループオプション言語情報と、新たにサーバ接続された画像形成装置に対し、グループオプション言語情報を送信する送信部とを備え、サーバに新たに接続された画像形成装置は、自装置に導入されているオプション言語のリストであるオプション言語情報と、グループオプション言語情報をサーバから受信する受信部と、オプション言語情報とグループオプション言語情報を比較し、自装置が導入すべきオプション言語を判断する言語情報比較部と、導入すべきと判断されたオプション言語の言語データをサーバから取得する取得部と、サーバから取得された言語データを導入する更新部を備える。【選択図】図４
2019097131.tif 000002
【特許請求の範囲】
【請求項１】
メンテナンスサーバーと、前記メンテナンスサーバーに新たにネットワーク接続され、前記メンテナンスサーバーによりグループの単位で管理される画像形成装置とを含み、
前記メンテナンスサーバーは、
前記画像形成装置と通信可能な第１の通信部と、
特定の前記グループに所属する画像形成装置がインストールすべきオプション言語の実データであるグループオプション言語データと、特定の前記グループに所属する画像形成装置がインストールすべきオプション言語名を列挙したリストであるグループオプション言語情報とが記憶された第１の記憶部と、
新たにメンテナンスサーバーにネットワーク接続された画像形成装置に対し、前記グループオプション言語情報を送信するグループオプション言語情報送信部と、
新たにメンテナンスサーバーにネットワーク接続された画像形成装置からの要求に従い、前記グループオプション言語データを提供するオプション言語データ提供部と
を備え、
前記メンテナンスサーバーに新たにネットワーク接続された画像形成装置は、
前記メンテナンスサーバーと通信可能な第２の通信部と、
前記グループオプション言語データを記憶可能であり、自装置にインストールされているオプション言語名を列挙したリストであるオプション言語情報が記憶されている第２の記憶部と、
自装置が所属することになるグループの前記グループオプション言語情報を前記メンテナンスサーバーから受信するグループオプション言語情報受信部と、
自装置が持つオプション言語情報と、前記メンテナンスサーバーから受信した前記グループオプション言語情報とを比較し、自装置がこれからインストールすべきオプション言語を判断する言語情報比較部と、
前記言語情報比較部でインストールすべきと判断されたオプション言語の前記グループオプション言語データを前記メンテナンスサーバーから取得するオプション言語データ取得部と、
前記言語情報比較部による判断結果に基づき、自装置にインストールされている不要なオプション言語を削除し、前記メンテナンスサーバーから取得された前記グループオプション言語データをインストールして更新するオプション言語更新部と
を備えた
情報処理システム。
【請求項２】
メンテナンスサーバーと、前記メンテナンスサーバーに新たにネットワーク接続され、前記メンテナンスサーバーによりグループの単位で管理される画像形成装置とを含んだ情報処理システムにおける情報処理方法であって、
前記メンテナンスサーバーが、新たにメンテナンスサーバーにネットワーク接続された画像形成装置に対し、特定の前記グループに所属する画像形成装置がインストールすべきオプション言語名を列挙したリストであるグループオプション言語情報を送信し、
前記メンテナンスサーバーに新たにネットワーク接続された画像形成装置が、自装置が所属することになるグループの前記グループオプション言語情報を、前記メンテナンスサーバーから受信し、
前記メンテナンスサーバーに新たにネットワーク接続された画像形成装置が、自装置が持つ、自装置にインストールされているオプション言語名を列挙したリストであるオプション言語情報と、前記メンテナンスサーバーから受信した前記グループオプション言語情報とを比較し、自装置がこれからインストールすべきオプション言語を判断し、
前記メンテナンスサーバーが、新たにメンテナンスサーバーにネットワーク接続された画像形成装置からの要求に従い、特定の前記グループに所属する画像形成装置がインストールすべきオプション言語の実データであるグループオプション言語データを提供し、
前記メンテナンスサーバーに新たにネットワーク接続された画像形成装置が、インストールすべきと判断されたオプション言語の前記グループオプション言語データを前記メンテナンスサーバーから取得し、
前記メンテナンスサーバーに新たにネットワーク接続された画像形成装置が、前記判断の結果に基づき、自装置にインストールされている不要なオプション言語を削除し、前記メンテナンスサーバーから取得された前記グループオプション言語データをインストールして更新する
情報処理方法。
【発明の詳細な説明】
【技術分野】
【０００１】
本発明は、使用環境に合わせたオプション言語をインストールする情報処理システムおよび情報処理方法に関する。
【背景技術】
【０００２】
従来、複合機などの画像形成装置（ＭＦＰ、Multifunction Peripheral）の表示部に、ユーザーに合せた言語を表示させることが行われてきた。
【０００３】
例えば、特許文献１の技術では、ユーザーが画像形成装置にログインする度に、ユーザーに合った言語の操作メニューをサーバーからダウンロードして表示部に表示させている。
【先行技術文献】
【特許文献】
【０００４】
【特許文献１】特開２００５−１５１４１５号公報
【発明の概要】
【発明が解決しようとする課題】
【０００５】
しかし、特許文献１の技術では、ユーザーがログインする度に、サーバーから操作画面をダウンロードするので、サーバー、ネットワーク、および画像形成装置に負荷がかかるという問題があった。
【０００６】
そこで、画像形成装置に、標準言語（例えば、日本語、英語、ドイツ語、フランス語、スペイン語、イタリア語、オランダ語、ロシア語）に加えて、幾つかのオプション言語（例えば、ヨーロッパ向けであれば、ポルトガル語、デンマーク語、ノルウェー語、スウェーデン語、トルコ語）を予めインストールしておき、画像形成装置の設置場所では、標準言語およびオプション言語の中からユーザーが好きな言語を選択して使用できるようになってきた。
【０００７】
しかし、工場出荷時に設定するオプション言語では、必ずしもユーザーの環境に合った言語がインストールされてはいなかった。
【０００８】
また、ユーザーから特定のインストール言語に関する要望がある場合には、工場出荷時に手動で特定の言語をインストールしなければならず、手間であった。
【０００９】
以上のような事情に鑑み、本発明の目的は、ユーザーの環境に合ったオプション言語を現地でインストール出来る情報処理システムおよび情報処理方法を提供することにある。
【課題を解決するための手段】
【００１０】
上記目的を達成するため、本発明の一形態に係る情報処理システムは、メンテナンスサーバーと、前記メンテナンスサーバーに新たにネットワーク接続され、前記メンテナンスサーバーによりグループの単位で管理される画像形成装置とを含み、前記メンテナンスサーバーは、前記画像形成装置と通信可能な第１の通信部と、特定の前記グループに所属する画像形成装置がインストールすべきオプション言語の実データであるグループオプション言語データと、特定の前記グループに所属する画像形成装置がインストールすべきオプション言語名を列挙したリストであるグループオプション言語情報とが記憶された第１の記憶部と、新たにメンテナンスサーバーにネットワーク接続された画像形成装置に対し、前記グループオプション言語情報を送信するグループオプション言語情報送信部と、新たにメンテナンスサーバーにネットワーク接続された画像形成装置からの要求に従い、前記グループオプション言語データを提供するオプション言語データ提供部とを備え、前記メンテナンスサーバーに新たにネットワーク接続された画像形成装置は、前記メンテナンスサーバーと通信可能な第２の通信部と、前記グループオプション言語データを記憶可能であり、自装置にインストールされているオプション言語名を列挙したリストであるオプション言語情報が記憶されている第２の記憶部と、自装置が所属することになるグループの前記グループオプション言語情報を前記メンテナンスサーバーから受信するグループオプション言語情報受信部と、自装置が持つオプション言語情報と、前記メンテナンスサーバーから受信した前記グループオプション言語情報とを比較し、自装置がこれからインストールすべきオプション言語を判断する言語情報比較部と、前記言語情報比較部でインストールすべきと判断されたオプション言語の前記グループオプション言語データを前記メンテナンスサーバーから取得するオプション言語データ取得部と、前記言語情報比較部による判断結果に基づき、自装置にインストールされている不要なオプション言語を削除し、前記メンテナンスサーバーから取得された前記グループオプション言語データをインストールして更新するオプション言語更新部とを備える。
【００１１】
そのため、ユーザーの環境に合ったオプション言語を現地でインストール出来る。
【００１２】
上記目的を達成するため、本発明の一形態に係る情報処理方法は、メンテナンスサーバーと、前記メンテナンスサーバーに新たにネットワーク接続され、前記メンテナンスサーバーによりグループの単位で管理される画像形成装置とを含んだ情報処理システムにおける情報処理方法であって、前記メンテナンスサーバーが、新たにメンテナンスサーバーにネットワーク接続された画像形成装置に対し、特定の前記グループに所属する画像形成装置がインストールすべきオプション言語名を列挙したリストであるグループオプション言語情報を送信し、前記メンテナンスサーバーに新たにネットワーク接続された画像形成装置が、自装置が所属することになるグループの前記グループオプション言語情報を、前記メンテナンスサーバーから受信し、前記メンテナンスサーバーに新たにネットワーク接続された画像形成装置が、自装置が持つ、自装置にインストールされているオプション言語名を列挙したリストであるオプション言語情報と、前記メンテナンスサーバーから受信した前記グループオプション言語情報とを比較し、自装置がこれからインストールすべきオプション言語を判断し、前記メンテナンスサーバーが、新たにメンテナンスサーバーにネットワーク接続された画像形成装置からの要求に従い、特定の前記グループに所属する画像形成装置がインストールすべきオプション言語の実データであるグループオプション言語データを提供し、前記メンテナンスサーバーに新たにネットワーク接続された画像形成装置が、インストールすべきと判断されたオプション言語の前記グループオプション言語データを前記メンテナンスサーバーから取得し、前記メンテナンスサーバーに新たにネットワーク接続された画像形成装置が、前記判断の結果に基づき、自装置にインストールされている不要なオプション言語を削除し、前記メンテナンスサーバーから取得された前記グループオプション言語データをインストールして更新する。
【発明の効果】
【００１３】
以上のように、本発明によれば、ユーザーの環境に合ったオプション言語を現地でインストール出来る。
【図面の簡単な説明】
【００１４】
【図１】本発明の一実施形態にかかる情報処理システム１００の全体構成図である。
【図２】メンテナンスサーバー１０が画像形成装置２０を管理する方法であるグループについて説明するための図である。
【図３】画像形成装置２０における工場出荷時のオプション言語設定の例について説明するための図である。
【図４】新しい画像形成装置２０をグループに所属させた場合のオプション言語の変化について説明するための図である。
【図５】メンテナンスサーバー１０が一般的なコンピューターにより構成される場合の構成図である。
【図６】画像形成装置２０の構成を概略的に示す構成図である。
【図７】情報処理システム１００における処理の流れを説明するシーケンス図である。
【発明を実施するための形態】
【００１５】
以下、図面を参照しながら、本発明の実施形態を説明する。
【００１６】
［全体構成］
最初に、本発明の一実施形態にかかる情報処理システム１００の全体構成について説明する。図１は、本発明の一実施形態にかかる情報処理システム１００の全体構成図である。
【００１７】
情報処理システム１００は、ネットワーク接続された、メンテナンスサーバー１０と１以上の画像形成装置２０とを含んで構成される。
【００１８】
メンテナンスサーバー１０は、ネットワーク接続された１以上の画像形成装置２０をグループ単位で管理するサーバーであり、特に本発明に関しては、グループに所属する画像形成装置２０のオプション言語を管理するものである。
【００１９】
以上、本発明の一実施形態にかかる情報処理システム１００の全体構成について説明した。
【００２０】
［グループ単位での管理について］
次に、メンテナンスサーバー１０が画像形成装置２０を管理する方法であるグループについて説明する。図２は、メンテナンスサーバー１０が画像形成装置２０を管理する方法であるグループについて説明するための図である。
【００２１】
図に示す例では、最上層のグループとして「ヨーロッパ」グループがあり、その直下のグループとして、「ドイツ」、「イタリア」、「スペイン」の３つのグループが設けられている。３つのグループそれぞれには、各グループに所属している画像形成装置２０が接続されている。
【００２２】
このように、画像形成装置２０は、階層的なグループに所属する形で、管理されている。
【００２３】
そして、図の例では、「スペイン」グループでは、所属する画像形成装置２０のオプション言語が、「スペイン語」、「カタルーニャ語」、「ガリシア語」、「バスク語」、「フランス語」の５つに設定されることを示している。
【００２４】
以上、メンテナンスサーバー１０が画像形成装置２０を管理する方法であるグループについて説明した。
【００２５】
［工場出荷時の設定について］
次に、画像形成装置２０における工場出荷時のオプション言語設定の例について説明する。図３は、画像形成装置２０における工場出荷時のオプション言語設定の例について説明するための図である。
【００２６】
図に示す例では、ヨーロッパ向けに出荷される画像形成装置２０の工場出荷時のオプション言語として、「ポルトガル語」、「デンマーク語」、「ノルウェー語」、「スウェーデン語」、「トルコ語」が設定され、データがインストールされて、出荷される。
【００２７】
図２と図３を比べてわかるように、ヨーロッパ全体を対象にしたオプション言語と、ヨーロッパの中の一部地域を対象にしたオプション言語とでは、異なることが分かる。
【００２８】
以上、画像形成装置２０における工場出荷時のオプション言語設定の例について説明した。
【００２９】
［グループ所属時のオプション言語の変化］
次に、新しい画像形成装置２０をグループに所属させた場合のオプション言語の変化について説明する。図４は、新しい画像形成装置２０をグループに所属させた場合のオプション言語の変化について説明するための図である。
【００３０】
（１）まず、ヨーロッパ向けに工場から出荷された画像形成装置２０が、スペインの現地で、ネットワーク経由でメンテナンスサーバー１０に接続され、「スペイン」グループに所属される。
【００３１】
（２）次に、画像形成装置２０とメンテナンスサーバー１０がコミュニケーションし、画像形成装置２０に現在インストールされているオプション言語と、「スペイン」グループに所属する画像形成装置２０にインストールされるべきオプション言語とが異なっていると判断される。そして、画像形成装置２０にインストールされているオプション言語を更新するために、まず、現在インストールされているオプション言語（「ポルトガル語」、「デンマーク語」、「ノルウェー語」、「スウェーデン語」、「トルコ語」）が削除される。
【００３２】
（３）次に、メンテナンスサーバー１０から「スペイン」グループに設定されているオプション言語のデータが画像形成装置２０に導入される。なお、図に示す例では、グループのオプション言語に、「スペイン語」および「フランス語」があるが、これら２つは標準言語に入っているので、実際にインストールされるのは、「カタルーニャ語」、「ガリシア語」、「バスク語」の３つである。
【００３３】
以上、新しい画像形成装置２０をグループに所属させた場合のオプション言語の変化について説明した。
【００３４】
［メンテナンスサーバーの構成］
次に、メンテナンスサーバー１０の構成について説明する。メンテナンスサーバー１０は、専用のハードウェアやソフトウェアにより構成されていてもよいし、一般的なコンピューターにより構成されてもよい。メンテナンスサーバー１０が一般的なコンピューターにより構成される場合の構成図を図５に示す。
【００３５】
同図に示すように、メンテナンスサーバー１０は、ＣＰＵ（Central Processing Unit）１１、ＲＯＭ（Read Only Memory）１２、ＲＡＭ（Random Access Memory）１３、操作入力部１４、通信部１５（第１の通信部）、表示部１６、および記憶部１７（第１の記憶部）を有し、これら各ブロックがバス１８を介して接続されている。
【００３６】
ＲＯＭ１２は、各種の処理を実行するためのファームウェア等の複数のプログラムやデータを記憶する。ＲＡＭ１３は、ＣＰＵ１１の作業用領域として用いられ、ＯＳ（Operating System）、実行中の各種アプリケーション、処理中の各種データを一時的に保持する。
【００３７】
記憶部１７は、例えばＨＤＤ（Hard Disk Drive）や、フラッシュメモリー、その他の不揮発性メモリーである。記憶部１７には、ＯＳや各種アプリケーション、各種データ、グループオプション言語データ１７ａ、およびグループオプション言語情報１７ｂが記憶される。
【００３８】
グループオプション言語データ１７ａは、特定のグループに所属する画像形成装置２０がインストールすべきオプション言語の実データである。
【００３９】
グループオプション言語情報１７ｂは、特定のグループに所属する画像形成装置２０がインストールすべきオプション言語名を列挙したリストである。
【００４０】
通信部１５は、ネットワーク上の画像形成装置２０等と情報のやりとりを行う為のネットワークと結ばれている。
【００４１】
ＣＰＵ１１は、ＲＯＭ１２や記憶部１７に格納された複数のプログラムのうち、操作入力部１４から与えられる命令に対応するプログラムをＲＡＭ１３に展開し、この展開されたプログラムにしたがって、表示部１６及び記憶部１７を適宜制御する。
【００４２】
操作入力部１４は、例えばマウス等のポインティングデバイス、キーボード、タッチパネル、その他の操作装置である。
【００４３】
表示部１６は、例えば液晶ディスプレイ、ＥＬ（Electro-Luminescence）ディスプレイ、プラズマディスプレイ等である。
【００４４】
次に、ＣＰＵ１１においてプログラムが実行されることにより実現される機能ブロックについて説明する。
【００４５】
メンテナンスサーバー１０のＣＰＵ１１において実現される機能ブロックは、オプション言語情報受信部１１ａ、グループオプション言語情報送信部１１ｂ、およびオプション言語データ提供部１１ｃである。
【００４６】
オプション言語情報受信部１１ａは、新たにグループに所属した（新たにメンテナンスサーバーにネットワーク接続された）画像形成装置２０から、その画像形成装置２０が持っているオプション言語に関する情報であるオプション言語情報を受信する。
【００４７】
グループオプション言語情報送信部１１ｂは、新たにグループに所属した（新たにメンテナンスサーバーにネットワーク接続された）画像形成装置２０に対し、グループに所属する画像形成装置２０にインストールされるべきオプション言語の情報であるグループオプション言語情報を送信する。
【００４８】
オプション言語データ提供部１１ｃは、新たにグループに所属した（新たにメンテナンスサーバーにネットワーク接続された）画像形成装置２０からの要求に従い、グループに所属する画像形成装置２０にインストールされるべきオプション言語の実データを提供する。
【００４９】
以上、メンテナンスサーバー１０の構成について説明した。
【００５０】
［画像形成装置の構成］
次に、画像形成装置２０の構成について説明する。図６は画像形成装置２０の構成を概略的に示す構成図である。
【００５１】
画像形成装置２０は、制御部２１を備える。制御部２１は、ＣＰＵ、ＲＡＭ、ＲＯＭ、および専用のハードウェア回路等から構成され、画像形成装置２０の全体的な動作制御を司る。
【００５２】
制御部２１は、原稿読取部２２、画像処理部２３、画像メモリー２４、画像形成部２５、操作部２６、表示部２６ａ、ファクシミリ通信部２７、通信部２８（第２の通信部）、記憶部２９（第２の記憶部）等と接続されている。制御部２１は、接続されている上記各部の動作制御や、各部との間での信号又はデータの送受信を行う。
【００５３】
制御部２１は、ユーザーから、操作部２６またはネッワーク接続されたＰＣ等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００５４】
また、制御部２１は、オプション言語情報送信部２１ａ、グループオプション言語情報受信部２１ｂ、言語情報比較部２１ｃ、オプション言語データ取得部２１ｄ、オプション言語更新部２１ｅ、および更新完了通知部２１ｆを有している。オプション言語情報送信部２１ａ、グループオプション言語情報受信部２１ｂ、言語情報比較部２１ｃ、オプション言語データ取得部２１ｄ、オプション言語更新部２１ｅ、および更新完了通知部２１ｆは、ＲＯＭなどからＲＡＭにロードされたプログラムがＣＰＵにより実行されることで実現される機能ブロックである。
【００５５】
オプション言語情報送信部２１ａは、メンテナンスサーバー１０に対して、自装置にインストールされているオプション言語に関する情報であるオプション言語情報を送信する。
【００５６】
グループオプション言語情報受信部２１ｂは、自装置が所属することになるグループでインストールされるべきオプション言語の情報であるグループオプション言語情報を、メンテナンスサーバー１０から受信する。
【００５７】
言語情報比較部２１ｃは、自装置が持つオプション言語情報と、メンテナンスサーバー１０から受信したグループオプション言語情報とを比較し、自装置がこれからインストールすべきオプション言語を判断する。
【００５８】
オプション言語データ取得部２１ｄは、言語情報比較部２１ｃでインストールすべきと判断されたオプション言語の実データをメンテナンスサーバー１０から取得する。
【００５９】
オプション言語更新部２１ｅは、言語情報比較部２１ｃによる判断結果に基づき、自装置にインストールされている不要なオプション言語を削除し、メンテナンスサーバー１０から取得された、必要なオプション言語をインストールして更新する。
【００６０】
更新完了通知部２１ｆは、オプション言語の更新が完了した旨をメンテナンスサーバー１０に通知する。
【００６１】
原稿読取部２２は、原稿から画像を読み取る。
【００６２】
画像処理部２３は、原稿読取部２２で読み取られた画像の画像データを必要に応じて画像処理する。例えば、画像処理部２３は、原稿読取部２２により読み取られた画像が画像形成された後の品質を向上させるために、シェーディング補正等の画像処理を行う。
【００６３】
画像メモリー２４は、原稿読取部２２による読み取りで得られた原稿画像のデータを一時的に記憶したり、画像形成部２５での印刷対象となるデータを一時的に記憶したりする領域である。
【００６４】
画像形成部２５は、原稿読取部２２で読み取られた画像データ等の画像形成を行う。
【００６５】
操作部２６は、画像形成装置２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２６ａを備えている。
【００６６】
ファクシミリ通信部２７は、図示しない符号化／復号化部、変復調部、およびＮＣＵ（Network Control Unit）を備え、公衆電話回線網を用いてのファクシミリの送信を行う。
【００６７】
通信部２８は、ＬＡＮボード等の通信モジュールから構成され、通信部２８に接続されたＬＡＮ等を介して、メンテナンスサーバー１０などの装置と種々のデータの送受信を行う。
【００６８】
記憶部２９は、原稿読取部２２によって読み取られた原稿画像などを記憶する。記憶部２９は、ＨＤＤなどの大容量の記憶装置である。記憶部２９には、オプション言語の実データであるオプション言語データ２９ａと、自装置にインストールされているオプション言語のリストであるオプション言語情報２９ｂとが記憶されている。
【００６９】
以上、画像形成装置２０の構成について説明した。
【００７０】
［処理の流れ］
次に、情報処理システム１００における処理の流れを説明する。図７は、情報処理システム１００における処理の流れを説明するシーケンス図である。
【００７１】
まず、特定のグループに所属していない画像形成装置２０が特定のグループ配下に接続されると、接続された画像形成装置２０のオプション言語情報送信部２１ａが、自装置の持つオプション言語が何であるかを示すために、オプション言語情報をメンテナンスサーバー１０のオプション言語情報受信部１１ａに対し送信する（ステップＳ１）。
【００７２】
次に、メンテナンスサーバー１０のグループオプション言語情報送信部１１ｂが、画像形成装置２０が接続されたグループでインストールすべきオプション言語をグループオプション言語情報として画像形成装置２０のグループオプション言語情報受信部２１ｂに対し送信する（ステップＳ２）。
【００７３】
次に、言語情報比較部２１ｃが、画像形成装置２０のオプション言語とグループのオプション言語とを比較し、インストールが必要なオプション言語を判断する（ステップＳ３）。
【００７４】
次に、言語情報比較部２１ｃの判断結果に基づいて、画像形成装置２０のオプション言語データ取得部２１ｄが、メンテナンスサーバー１０のオプション言語データ提供部１１ｃから必要なオプション言語の実データを取得する（ステップＳ４）。
【００７５】
次に、画像形成装置２０のオプション言語更新部２１ｅが、画像形成装置２０にインストールされている不要なオプション言語を削除し、必要なオプション言語をインストールして更新する（ステップＳ５）。
【００７６】
次に、画像形成装置２０の更新完了通知部２１ｆが、オプション言語の更新が完了した旨をメンテナンスサーバー１０に通知し、処理を終了する（ステップＳ６）。
【００７７】
以上、情報処理システム１００における処理の流れを説明した。
【００７８】
＜変形例１＞
上記の説明では、画像形成装置２０に既にインストールされているオプション言語と、所属することになるグループのオプション言語との比較は画像形成装置２０上で行っているが、この構成に限らず、メンテナンスサーバー１０上で、比較処理を行ってもよい。
【００７９】
＜変形例２＞
上記図４の説明では、最初に画像形成装置２０に入っていたオプション言語５つを削除して、新たにオプション言語３つをインストールするとしたが、この構成に限らず、例えば、削除するオプション言語の数は、新たにインストールするオプション言語の数（３つ）に合せて、３つだけにする構成でもよい。その場合、残す２つのオプション言語は、ユーザーが指定する構成でもよい。この構成では、オプション言語として５つの選択肢を残すことが出来るので、ユーザーに、より多くのオプション言語を提供することが出来る。
【００８０】
［補足事項］
以上のように、本発明にかかる情報処理システム１００は、メンテナンスサーバー１０と、前記メンテナンスサーバー１０に新たにネットワーク接続され、前記メンテナンスサーバー１０によりグループの単位で管理される画像形成装置２０とを含み、前記メンテナンスサーバー１０は、前記画像形成装置２０と通信可能な第１の通信部１５と、特定の前記グループに所属する画像形成装置２０がインストールすべきオプション言語の実データであるグループオプション言語データ１７ａと、特定の前記グループに所属する画像形成装置２０がインストールすべきオプション言語名を列挙したリストであるグループオプション言語情報１７ｂとが記憶された第１の記憶部１７と、新たにメンテナンスサーバー１０にネットワーク接続された画像形成装置２０に対し、前記グループオプション言語情報１７ｂを送信するグループオプション言語情報送信部１１ｂと、新たにメンテナンスサーバー１０にネットワーク接続された画像形成装置からの要求に従い、前記グループオプション言語データ１７ａを提供するオプション言語データ提供部１１ｃとを備え、前記メンテナンスサーバー１０に新たにネットワーク接続された画像形成装置２０は、前記メンテナンスサーバー１０と通信可能な第２の通信部２８と、前記グループオプション言語データ１７ａを記憶可能であり、自装置にインストールされているオプション言語名を列挙したリストであるオプション言語情報２９ｂが記憶されている第２の記憶部２９と、自装置が所属することになるグループの前記グループオプション言語情報１７ｂを、前記メンテナンスサーバー１０から受信するグループオプション言語情報受信部２１ｂと、自装置が持つオプション言語情報２９ｂと、前記メンテナンスサーバー１０から受信した前記グループオプション言語情報１７ｂとを比較し、自装置がこれからインストールすべきオプション言語を判断する言語情報比較部２１ｃと、前記言語情報比較部２１ｃでインストールすべきと判断されたオプション言語の前記グループオプション言語データ１７ａを前記メンテナンスサーバー１０から取得するオプション言語データ取得部２１ｄと、前記言語情報比較部２１ｃによる判断結果に基づき、自装置にインストールされている不要なオプション言語を削除し、前記メンテナンスサーバー１０から取得された前記グループオプション言語データ１７ａをインストールして更新するオプション言語更新部２１ｅとを備える。
【００８１】
そのため、ユーザーの環境に合ったオプション言語を現地でインストール出来る。
【００８２】
その他、本発明は、上述の実施形態にのみ限定されるものではなく、本発明の要旨を逸脱しない範囲内において種々変更を加え得ることは勿論である。
【符号の説明】
【００８３】
１０  …  メンテナンスサーバー
１１  …  ＣＰＵ
１１ａ…  オプション言語情報受信部
１１ｂ…  グループオプション言語情報送信部
１１ｃ…  オプション言語データ提供部
１２  …  ＲＯＭ
１３  …  ＲＡＭ
１４  …  操作入力部
１５  …  通信部
１６  …  表示部
１７  …  記憶部
１７ａ…  グループオプション言語データ
１７ｂ…  グループオプション言語情報
１８  …  バス
２０  …  画像形成装置
２１  …  制御部
２１ａ…  オプション言語情報送信部
２１ｂ…  グループオプション言語情報受信部
２１ｃ…  言語情報比較部
２１ｄ…  オプション言語データ取得部
２１ｅ…  オプション言語更新部
２１ｆ…  更新完了通知部
２２  …  原稿読取部
２３  …  画像処理部
２４  …  画像メモリー
２５  …  画像形成部
２６  …  操作部
２６ａ…  表示部
２７  …  ファクシミリ通信部
２８  …  通信部
２９  …  記憶部
２９ａ…  オプション言語データ
２９ｂ…  オプション言語情報
１００  …  情報処理システム
【図１】
2019097131.tif 000003
【図２】
2019097131.tif 000004
【図３】
2019097131.tif 000005
【図４】
2019097131.tif 000006
【図５】
2019097131.tif 000007
【図６】
2019097131.tif 000008
【図７】
2019097131.tif 000009